(57)【要約】      （修正有）【課題】ユーザが知りたい情報に素早くアクセスできる使用説明書を提供する。【解決手段】使用説明書１００の表紙１０２と裏表紙１０４に装置の外観図が記載される。そして、その外観図に現われた各部の名称が引出線を介して記載されるとともに、その説明が記載されたページの番号が名称に併せて記載される。これにより、表紙１０２又は裏表紙１０４から、知りたい情報に素早くアクセスすることができる。【選択図】図３
2005153350.tif 000002
【特許請求の範囲】
【請求項１】
複数ページからなる冊子で構成され、装置の使用方法が記載された使用説明書において、
表紙又は裏表紙に装置の外観が記載され、その外観に現われた各部の名称が引出線を介して記載されるとともに、その説明が記載されたページの番号が名称に併せて記載されることを特徴とする使用説明書。
【請求項２】
表紙に装置を正面から見た外観が記載され、裏表紙に装置を背面から見た外観が記載されることを特徴とする請求項１に記載の使用説明書。
【請求項３】
周縁には表紙又は裏表紙から表紙又は裏表紙に記載されたページの番号の位置まで切欠き部が形成されていることを特徴とする請求項１又は２に記載の使用説明書。
【請求項４】
複数ページからなる冊子で構成され、装置の使用方法が記載された使用説明書において、
表紙が二つ折りにされて開閉可能な見開き構成とされ、その表紙の内側の一方に装置を正面側から見た外観が記載されるとともに、他方に装置を背面側から見た外観が記載され、かつ、各外観に現われた各部の名称が引出線を介して記載されるとともに、その説明が記載されたページの番号が名称に併せて記載されることを特徴とする使用説明書。
【請求項５】
表紙と裏表紙のみ紙質が異なることを特徴とする請求項１、２、３又は４に記載の使用説明書。
【請求項６】
表紙と裏表紙にのみ多色印刷が施されることを特徴する請求項１、２、３、４又は５に記載の使用説明書。
【発明の詳細な説明】
【技術分野】
【０００１】
本発明は使用説明書に係り、特にデジタルカメラ等の電子機器の使用方法が記載された使用説明書に関する。
【背景技術】
【０００２】
一般にデジタルカメラ等の電子機器は、冊子の形でユーザに使用説明書が提供されることが多い。
【０００３】
しかし、近年の電子機器の多機能化に伴い、使用説明書もページ数が増大し、必要な情報をなかなか見つけ出せないという欠点があった。
【０００４】
そこで、特許文献１には、携帯電話機の使用説明書として、使用説明書に携帯電話機を形取った切抜部を設け、その切抜部に携帯電話機を収容するとともに、その周囲に操作手順等の説明を記載することが開示されている。
【特許文献１】特開２００３−２１１８６７号公報
【発明の開示】
【発明が解決しようとする課題】
【０００５】
しかしながら、特許文献１の場合、切抜部に携帯電話機を収容した状態で使用説明書を参照しなければならないため、携帯電話機を使いながら使用説明書を参照する等の使い方ができず、使い勝手が悪いという欠点がある。また、切抜部を形成することにより、文章やイラストを記載するためのスペースが少なくなり、使用説明書に記述できる文章やイラストが少なくなってしまうという欠点もある。
【０００６】
本発明は、このような事情に鑑みてなされたもので、ユーザが知りたい情報に素早くアクセスできる使用説明書を提供することを目的とする。
【課題を解決するための手段】
【０００７】
請求項１に係る発明は、前記目的を達成するために、複数ページからなる冊子で構成され、装置の使用方法が記載された使用説明書において、表紙又は裏表紙に装置の外観が記載され、その外観に現われた各部の名称が引出線を介して記載されるとともに、その説明が記載されたページの番号が名称に併せて記載されることを特徴とする使用説明書を提供する。
【０００８】
本発明によれば、使用説明書の表紙又は裏表紙に装置の外観がイラスト又は写真で記載される。そして、その外観に現われた各部の名称が引出線を介して記載されるとともに、その説明が記載されたページの番号が名称に併せて記載される。これにより、表紙又は裏表紙から、知りたい情報に素早くアクセスすることができる。
【０００９】
請求項２に係る発明は、前記目的を達成するために、表紙に装置を正面から見た外観が記載され、裏表紙に装置を背面から見た外観が記載されることを特徴とする請求項１に記載の使用説明書を提供する。
【００１０】
本発明によれば、表紙に装置を正面から見た外観が記載され、裏表紙に装置を背面から見た外観が記載される。これにより、装置の表と裏と使用説明書の表と裏とが一致し、使い勝手が向上する。
【００１１】
また、請求項３に係る発明は、前記目的を達成するために、周縁には表紙又は裏表紙から表紙又は裏表紙に記載されたページの番号の位置まで切欠き部が形成されていることを特徴とする請求項１又は２に記載の使用説明書を提供する。
【００１２】
本発明によれば、切欠き部を利用することにより、該当ページに迅速にアクセスすることができるようになる。
【００１３】
また、請求項４に係る発明は、前記目的を達成するために、複数ページからなる冊子で構成され、装置の使用方法が記載された使用説明書において、表紙が二つ折りにされて開閉可能な見開き構成とされ、その表紙の内側の一方に装置を正面側から見た外観が記載されるとともに、他方に装置を背面側から見た外観が記載され、かつ、各外観に現われた各部の名称が引出線を介して記載されるとともに、その説明が記載されたページの番号が名称に併せて記載されることを特徴とする使用説明書を提供する。
【００１４】
本発明によれば、使用説明書の表紙が二つ折りにされて開閉可能な見開き構成とされており、その表紙の内側の一方に装置を正面側から見た外観が記載され、他方に装置を背面側から見た外観が記載される。そして、各外観に現われた各部の名称が引出線を介して記載されるとともに、その説明が記載されたページの番号が名称に併せて記載される。これにより、表紙から知りたい情報に素早くアクセスすることができる。
【００１５】
また、請求項５に係る発明は、前記目的を達成するために、表紙と裏表紙のみ紙質が異なることを特徴とする請求項１、２、３又は４に記載の使用説明書を提供する。
【００１６】
本発明によれば、使用説明書の表紙と裏表紙のみ異なる紙質のものが使用される。これにより、表紙と裏表紙にユーザの注目を集めることができるようになり、表紙又は裏表紙から知りたい情報に素早くアクセスすることができる。
【００１７】
また、請求項６にかかる発明は、前記目的を達成するために、表紙と裏表紙にのみ多色印刷が施されることを特徴する請求項１、２、３、４又は５に記載の使用説明書を提供する。
【００１８】
本発明によれば、使用説明書の表紙と裏表紙にのみ多色印刷が施される。これにより、表紙と裏表紙にユーザの注目を集めることができるようになり、表紙又は裏表紙から知りたい情報に素早くアクセスすることができる。
【発明の効果】
【００１９】
本発明に係る使用説明書によれば、ユーザが知りたい情報に素早くアクセスすることができる。
【発明を実施するための最良の形態】
【００２０】
以下、添付図面に従って本発明に係る使用説明書を実施するための最良の形態について説明する。
【００２１】
なお、以下の実施の形態では、本発明に係る使用説明書をデジタルカメラに用いた場合を例に説明する。
【００２２】
まず、デジタルカメラの外観構成について説明する。図１はデジタルカメラを正面側から見た外観図である、図２はデジタルカメラを背面側から見た外観図である。
【００２３】
図１に示すように、デジタルカメラ１０の正面には、レンズ１２、ファインダー窓１４、セルフタイマーランプ１６、ストロボ調光センサー１８、マイク２０が設けられており、上面にはシャッターボタン２２、ストロボ２４が設けられている。
【００２４】
一方、図２に示すように、デジタルカメラ１０の背面には、ファインダー２６、ファインダーランプ２８、モードレバー３０、電源ボタン３２、表示ボタン３４、液晶モニター３６、ストロボポップアップボタン３８、モードダイヤル４０、ＢＡＣＫボタン４２、表示パネル４４、十字ボタン４６、スピーカー４８、ＭＥＮＵ／ＯＫボタン５０が設けられており、底面にはバッテリーカバー５２、三脚ねじ穴５４、クレードル接続端子５６が設けられている。
【００２５】
また、図１、図２に示すように、デジタルカメラ１０の右側面には、音声／映像出力端子５８、ＵＳＢ端子６０、電源入力端子６２、ロック解除つまみ６４、スロットカバー６６、メモリーカードスロット６８が設けられており、左側面には、ストラップ取り付け部７０が設けられている。
【００２６】
図３は、上記のデジタルカメラ１０の使用説明書１００を表面側から見た外観図であり、図４は、上記のデジタルカメラ１０の使用説明書１００を裏面側から見た外観図である。この使用説明書１００には、上記のデジタルカメラ１０の使用方法や注意事項などが記載されている。
【００２７】
図３に示すように、使用説明書１００の表紙１０２には、ほぼ中央にデジタルカメラ１０を正面側から見た外観図（製品外観図）がイラストで記載されており、その上部にはデジタルカメラ１０の製品名（ＤＩＧＩＴＡＬ  ＣＡＭＥＲＡ  Ｆ７００Ｚ）が記載されている。
【００２８】
表紙１０２に記載された製品外観図の周囲には、その製品外観図に現われた製品の各部の名称が引出線を介して記載されている。
【００２９】
また、引出線を介して名称が記載された各部の中で、その機能や操作方法などの説明が使用説明書中に記載されているものについては、その説明が記載されたページの番号が名称に併記されている。たとえば、図３に示すように、「ストロボ」に関して、その使用方法や機能の説明が使用説明書１００の５０ページに記載されている場合には、そのページ番号（Ｐ．５０）が名称（ストロボ）に併記されている。同様に、たとえば「ＵＳＢ端子」に関して、その使用方法や機能の説明が使用説明書１００の９９ページに記載されている場合には、そのページ番号（Ｐ．９９）が名称（ＵＳＢ接続端子）に併記されている。
【００３０】
使用説明書１００の裏表紙１０４も表紙１０２と同様に構成されている。すなわち、ほぼ中央にデジタルカメラ１０を背面側から見た外観図（製品外観図）がイラストで記載され、その製品外観図の周囲に製品の各部の名称が引出線を介して記載されている。そして、引出線を介して名称が記載された各部の中で、その機能や操作方法などの説明が使用説明書中に記載されているものについては、その説明が記載されたページの番号が名称に併記されている。たとえば、「ストロボポップアップボタン」に関して、その使用方法や機能の説明が使用説明書１００の５０ページに記載されている場合には、そのページ番号（Ｐ．５０）が名称（ストロボポップアップボタン）に併記されている。
【００３１】
このように、本実施の形態の使用説明書１００によれば、表紙１０２及び裏表紙１０４に製品外観図が記載され、その製品外観図に現われた各部の名称が引出線を介して記載されるとともに、その説明が記載されたページの番号が名称に併記されるので、表紙１０２又は裏表紙１０４を見ただけで、ユーザが知りたい情報に素早くアクセスすることができる。
【００３２】
また、表紙１０２にデジタルカメラ１０を正面側から見た外観図を記載し、裏表紙１０４にデジタルカメラ１０を背面側から見た外観図を記載することにより、デジタルカメラ１０の表裏と使用説明書１００の表裏とが一致し、扱いやすい構成とすることができる。
【００３３】
なお、表紙１０２と裏表紙１０４に関しては、中身と紙質を変えることが好ましく、これにより、表紙１０２と裏表紙１０４にユーザの注意を引き付けることができる。また、表紙１０２と裏表紙１０４に厚手の紙を使用することにより、使用説明書１００の耐久性を上げることもできる。
【００３４】
また、表紙１０２と裏表紙１０４に関しては、多色印刷を施すことが好ましく、これにより、表紙１０２と裏表紙１０４にユーザの注意を向けることができるとともに、製造コストの削減を図ることができる。
【００３５】
なお、本実施の形態では、表紙及び裏表紙にデジタルカメラの外観図を記載し、その外観図に現われた各部の名称とページ番号を記載しているが、これに加えて特定の部位の拡大図を記載し、その拡大図に現われた各部の名称とページ番号を記載するようにしてもよい。たとえば、図４において、使用説明書の裏表紙に製品外観図と共にモードダイヤルの拡大図を記載し、その拡大図に現われたモードダイヤルの各部の名称と、その説明が記載されたページの番号を記載する。
【００３６】
次に、本発明にかかる使用説明書の第２の実施の形態について説明する。図５は、本発明に係る使用説明書の第２の実施の形態の外観図である。
【００３７】
同図に示すように、第２の実施の形態の使用説明書１１０は、表紙１１２が二つ折りにされて開閉可能に構成されている。すなわち、表紙１１２が右ページ１１２Ｒと左ページ１１２Ｌとからなる２ページの見開き構成とされており、左ページ１１２Ｌが内側に折り込まれて、収容可能に構成されている。
【００３８】
この使用説明書１１０の表紙１１２の内側には、左ページ１１２Ｌにデジタルカメラ１０を正面側から見た製品外観図が記載されており、右ページ１１２Ｒにデジタルカメラ１０を背面側から見た製品外観図が記載されている。そして、各製品外観図の周囲には、その製品外観図に現われた製品の各部の名称が引出線を介して記載されている。また、引出線を介して名称が記載された各部の中で、その機能や操作方法などの説明が使用説明書中に記載されているものについては、その説明が記載されたページの番号が名称に併記されている。
【００３９】
このように、使用説明書１１０の表紙１１２を見開きページとすることにより、ユーザの注意を表紙１１２に引き付けることができるようになる。そして、その見開きページに製品外観図を記載し、その製品外観図に現われた各部の名称を引出線を介して記載するとともに、その説明が記載されたページの番号を名称に併記することにより、ユーザが知りたい情報に素早くアクセスすることができる。
【００４０】
なお、本実施の形態の使用説明書１１０においても、表紙と裏表紙のみ紙質を変えることが好ましく、これにより、表紙にユーザの注意を更に引き付けることができるようになる。また、表紙と裏表紙に厚手の紙を使用することにより、使用説明書１１０の耐久性も向上させることができる。
【００４１】
また、表紙に関しては、多色印刷を施すことが好ましく、これにより、表紙にユーザの注意を向けることができるとともに、製造コストの削減を図ることができる。
【００４２】
次に、本発明にかかる使用説明書の第３の実施の形態について説明する。図６は、本発明に係る使用説明書の第３の実施の形態の外観図である。
【００４３】
同図に示すように、第３の実施の形態の使用説明書１２０には周縁部に切欠き部１２４が形成されており、この点で第１の実施の形態の使用説明書１００と相違している。
【００４４】
切欠き部１２４は、ページ番号が併記された各部名称の近傍位置に形成されており、手の指の先端が嵌る程度の大きさの円弧状に形成されている。そして、表紙から、その各部名称に併記されたページ番号の位置まで形成されている。すなわち、たとえば製品外観図から引出線を介して記載された名称「ストロボ」には、ページ番号「（Ｐ．５０）」が併記されているので、その名称「ストロボ」に近接して形成された切欠き部１２４は、使用説明書１２０の５０ページまで形成される。同様に製品外観図から引出線を介して記載された名称「電源入力端子」には、ページ番号「（Ｐ．９９）」が併記されているので、その名称「電源入力端子」に近接して形成された切欠き部１２４は、使用説明書１２０の９９ページまで形成される。
【００４５】
この切欠き部１２４は、ユーザが取扱説明書１２０の表紙１２２に記載されたページ番号のページを開くときに使用し、この切欠き部１２４に指の先端を嵌めて、使用説明書１２０を開くことにより、そのページ番号のページを迅速に開くことができるようにされている。たとえば、表紙１２２を見て「ストロボ」に関して調べたい場合には、その表紙１２２に記載された「ストロボ」に近接して形成された切欠き部１２４に指の先端を嵌めて、使用説明書１２０を開く。これにより、その「ストロボ」に関して記載されたページ（５０ページ）が開かれる。
【００４６】
このように、本実施の形態の使用説明書１２０によれば、表紙１２２に記載されたページ番号のページを迅速に開くことができる。
【００４７】
なお、本実施の形態では、使用説明書の表紙側から切欠き部を形成する場合について説明したが、使用説明書の裏表紙側にもページ番号等が記載されている場合には、裏表紙側からも切欠き部を形成することが好ましい。
【００４８】
また、表紙に記載されたページ番号に近接して切欠き部を形成できない場合は、ページ番号と切欠き部との間に引出線を記載し、両者の関連付けを明確にすることが好ましい。たとえば、図６に示すように、セルフタイマーランプやストラップ取り付け部に関しては、表紙の中央寄りの位置に記載されているので、切欠き部を近接して掲載することができない。この場合は、切欠き部との間に引出線を記載し、両者の関連付けを明確にする。
【００４９】
また、上記の実施の形態では、使用説明書の表紙又は裏表紙に記載する製品の外観をイラストで記載しているが、製品の写真で記載してもよい。
【００５０】
なお、以上の説明では、本発明をデジタルカメラの使用説明書に適用して場合を例に説明したが、製品の種類は限定されず、パソコン、携帯情報端末、ビデオ再生機、テレビ受像機など種々の製品の使用説明書に本発明を適用することができる。
【図面の簡単な説明】
【００５１】
【図１】デジタルカメラを正面側から見た外観図
【図２】デジタルカメラを背面側から見た外観図
【図３】使用説明書を表面側から見た外観図
【図４】使用説明書を裏面側から見た外観図
【図５】使用説明書の第２の実施の形態の外観図
【図６】使用説明書の第３の実施の形態の外観図
【符号の説明】
【００５２】
１０…デジタルカメラ、１２…レンズ、１４…ファインダー窓、１６…セルフタイマーランプ、１８…ストロボ調光センサー、２０…マイク、２２…シャッターボタン、２４…ストロボ、２６…ファインダー、２８…ファインダーランプ、３０…モードレバー、３２…電源ボタン、３４…表示ボタン、３６…液晶モニター、３８…ストロボポップアップボタン、４０…モードダイヤル、４２…ＢＡＣＫボタン、４４…表示パネル、４６…十字ボタン、４８…スピーカー、５０…ＭＥＮＵ／ＯＫボタン、５２…バッテリーカバー、５４…三脚ねじ穴、５６…クレードル接続端子、５８…音声／映像出力端子、６０…ＵＳＢ端子、６２…電源入力端子、６４…ロック解除つまみ、６６…スロットカバー、６８…メモリーカードスロット、７０…ストラップ取り付け部、１００…使用説明書、１０２…表紙、１０４…裏表紙、１１０…使用説明書、１１２…表紙、１１２Ｌ…表紙左ページ、１１２Ｒ…表紙右ページ、１２０…使用説明書、１２２…表紙、１２４…切欠き部
【図１】
2005153350.tif 000003
【図２】
2005153350.tif 000004
【図３】
2005153350.tif 000005
【図４】
2005153350.tif 000006
【図５】
2005153350.tif 000007
【図６】
2005153350.tif 000008